(57)【要約】【課題】本発明の課題は、ユーザーの情報を登録せずに、または、特別な装置を用いずに、または、無線接続のための知識が無くとも、展示場の出展資料を容易に取得が可能な資料配布システム、方法、プログラムを提供することである。【解決手段】来場者端末装置のデジタルカメラが撮像した二次元コード画像から復号した無線接続識別子と展示品識別子を用いて、資料配布端末装置が資料データを配布する資料配布システムであって、来場者端末装置は、無線接続識別子を含む接続要求に基づいて、資料配布端末装置と接続承認され、接続承認された資料配布端末装置に対して、展示品識別子を含む資料請求を発行して、接続承認された来場者端末装置が返信する展示品識別子に対応した資料データを受信する、ことを特徴とする資料配布システムである。【選択図】図１
2014067096.tif 000002
【特許請求の範囲】
【請求項１】
来場者が携帯する来場者端末装置と展示場に設置された資料配布端末装置とが接続可能に構成される資料配布システムであって、
前記来場者端末装置は、
デジタル画像データを生成するカメラと、
近接通信接続関数と、二次元コード撮像画像データを文字列に復号する二次元コード読取関数と、を記憶する記憶手段と、
二次元コード読取関数が復号した文字列から、無線接続識別子と展示品識別子を取り出す端末接続情報取出手段と、
近接通信接続関数を呼び出して、取り出した無線接続識別子を含む接続要求情報を引き渡し、所定の資料配布端末装置との接続承認情報を受け取る無線接続手段と、
展示品識別子を含む資料請求を、接続承認された資料配布端末装置に送信する資料請求手段と、
接続承認された資料配布端末装置より返信された資料データを受信して表示する資料受信手段と、
を備える端末装置であって、
前記資料配布端末装置は、
近接通信接続関数と、
無線接続識別子と、
展示品識別子と対応付けられた資料データと、を記憶する記憶手段と、
近接通信接続関数から来場者端末装置との接続承認情報を受け取る無線接続手段と、
展示品識別子を含む資料請求を、接続承認された資料配布端末装置から受信する資料請求受付手段と、
資料請求の展示品識別子を、記憶手段の展示品識別子と照合して、一致した展示品識別子に対応付けられた資料データを読み取る資料読取手段と、
読み取った資料データを接続承認された来場者端末装置に返信する資料返信手段と、
を備える端末装置である、
ことを特徴とする資料配布システム。
【請求項２】
請求項１に記載の資料配布システムであって、
前記近接通信接続関数は、ＩＥＥＥ８０２．１５．１規格の通信を制御する関数である、
ことを特徴とする資料配布システム。
【請求項３】
来場者が携帯する来場者端末装置と展示場に設置された資料配布端末装置とが接続可能に構成される資料配布システムであって、
前記来場者端末装置は、
デジタル画像データを生成するカメラと、
近接通信接続関数と、二次元コード撮像画像データを文字列に復号する二次元コード読取関数と、を記憶する記憶手段と、
二次元コード読取関数が復号した文字列から、無線接続識別子を取り出す端末接続情報取出手段と、
近接通信接続関数を呼び出して、取り出した無線接続識別子を含む接続要求情報を引き渡し、所定の資料配布端末装置との接続承認情報を受け取る無線接続手段と、
資料請求を、接続承認された資料配布端末装置に送信する資料請求手段と、
接続承認された資料配布端末装置より返信された資料データを受信して表示する資料受信手段と、
を備える端末装置であって、
前記資料配布端末装置は、
近接通信接続関数と、無線接続識別子と、資料データと、を記憶する記憶手段と、
近接通信接続関数から来場者端末装置との接続承認情報を受け取る無線接続手段と、
接続承認された来場者端末装置が送信する資料請求を受け付けて、記憶する資料データを返信する資料返信手段と、
を備える端末装置である、
ことを特徴とする資料配布システム。
【請求項４】
請求項３に記載の資料配布システムであって、
前記近接通信接続関数は、ＩＥＥＥ８０２．１５．１規格の通信を制御する関数である、
ことを特徴とする資料配布システム。
【請求項５】
来場者端末装置および資料配布端末装置が記憶する近接通信接続関数と、展示品識別子と対応付けられた資料データと、を用いて、資料を配布する方法であって、
来場者端末装置は、カメラが撮像して生成した二次元コード画像を復号して、無線接続識別子と展示品識別子を取り出す端末接続情報取出ステップと、
来場者端末装置は、近接通信接続関数を呼び出して、取り出した無線接続識別子を含む接続要求情報を引き渡し、所定の資料配布端末装置との近接通信接続を確立した結果としての接続承認情報を受け取る無線接続ステップと、
来場者端末装置は、展示品識別子を含む資料請求を、接続承認された資料配布端末装置に送信する資料請求ステップと、
資料配布端末装置は、近接通信接続関数から来場者端末装置との接続承認情報を受け取った場合にのみ、展示品識別子を含む資料請求を、接続承認された資料配布端末装置から受信する資料請求受付ステップと、
資料配布端末装置は、資料請求の展示品識別子を、記憶手段の展示品識別子と照合して、一致した展示品識別子に対応付けられた資料データを読み取る資料読取ステップと、
資料配布端末装置は、読み取った資料データを接続承認された来場者端末装置に返信する資料返信ステップと、
資料配布端末装置は、接続承認された資料配布端末装置より返信された資料データを受信して表示する資料受信ステップと、
を含んだ手順でなされることを特徴とする資料配布方法。
【請求項６】
請求項５に記載の資料配布方法であって、
前記近接通信接続関数は、ＩＥＥＥ８０２．１５．１規格の通信を制御する関数である、
ことを特徴とする資料配布方法。
【請求項７】
近接通信接続関数を記憶する来場者端末装置と、近接通信接続関数と資料データとを記憶する資料配布端末装置を用いて、資料を配布する方法であって、
来場者端末装置は、カメラが撮像して生成した二次元コード画像を復号して、無線接続識別子を取り出す端末接続情報取出ステップと、
来場者端末装置は、近接通信接続関数を呼び出して、取り出した無線接続識別子を含む接続要求情報を引き渡し、所定の資料配布端末装置との近接通信接続を確立した結果としての接続承認情報を受け取る無線接続ステップと、
来場者端末装置は、資料請求を、接続承認された資料配布端末装置に送信する資料請求ステップと、
資料配布端末装置は、接続承認された来場者端末装置から受け取った資料請求に基づいて、記憶する資料データを、接続承認された来場者端末装置に返信する資料返信ステップと、
資料配布端末装置は、接続承認された資料配布端末装置より返信された資料データを受信して表示する資料受信ステップと、
を含んだ手順でなされることを特徴とする資料配布方法。
【請求項８】
請求項７に記載の資料配布方法であって、
前記近接通信接続関数は、ＩＥＥＥ８０２．１５．１規格の通信を制御する関数である、
ことを特徴とする資料配布方法。
【請求項９】
コンピュータに組込むことによって、コンピュータを請求項１から４のいずれか１項に記載の来場者端末装置として動作させるコンピュータプログラム。
【請求項１０】
コンピュータに組込むことによって、コンピュータを請求項１から４のいずれか１項に記載の資料配布端末装置として動作させるコンピュータプログラム。
【発明の詳細な説明】
【技術分野】
【０００１】
本発明は、認証用画像（バーコード、二次元コード、透かし画像など）を用いて、人手を介さずに、端末同士の無線接続（ピアツーピア、Ｐ２Ｐ）を許可（認証）し、展示場の説明資料を展示場の来場者に配布するシステム、方法、プログラムに関するものである。
本発明は、特に、無線接続として、近距離無線通信を用いる場合に有用である。
【背景技術】
【０００２】
携帯端末装置（スマートホン）の普及により、スマートホンを活用した展示場の運営方法が盛んである。
たとえば、来場者が携帯する端末に展示場の展示資料を表示させる各種の仕組みがある。
【０００３】
１つの仕組みとして、展示場の受付で来場者のユーザー情報を登録しておき、展示場に設置された案内装置がこの来場者が所持する来場者端末の要求を検知したときに、所定の展示データを提供する技術が知られている。
たとえば、特許文献１には、展示場の案内装置３，４が、来場者端末５の指示に従って、予め登録された来場者の嗜好や要求内容に従って、好みや要求に応じた展示物のみの画像や説明用メッセージ（出展資料）を、たとえば、ブルートゥースで送信する技術が開示されている。
【０００４】
また、異なる仕組みとして、広告識別情報を記憶するＲＦタグを備えた広告ポスターを用いて、ＲＦタグリーダーライター（Ｒ／Ｗ）が読み取った広告識別情報に対応する広告情報を携帯端末に提供する技術が知られている。
たとえば、特許文献２には、携帯端末の操作に従ってハンディタイプのＲＦタグＲ／Ｗ３が広告媒体のＲＦタグから広告識別情報を読み取り、この広告識別情報に基づきサテライトサーバーが携帯端末に広告情報を提供する技術が開示されている。
【０００５】
このような仕組みにおいては、ＩＥＥＥ８０２．１５．１規格の近距離無線通信により来場者端末に出展資料を配付することができる。
この規格の近距離無線通信の場合には、出展資料を配付する装置が来場者端末と、次に説明する手順にて、無線通信接続を確立（ペアリング）させる必要がある。
まず、来場者は自分の端末（来場者端末）を操作し、この来場者端末から通信可能な範囲内（概ね１０ｍ以内）にある、ＩＥＥＥ８０２．１５．１規格の近距離無線通信対応装置を検出して、これら装置の一覧情報を表示させる。
次に、来場者は、この一覧情報からペアリングを行いたい装置（出展資料を配付させる装置）を選択する。
次に、ペアリングを行いたい装置から認証要求が来るので、来場者はボタン操作により、たとえば、認証用のキーコードを手動入力して、ペアリングを行いたい装置の認証を待つ。
最後に、ペアリングを行いたい装置による認証が成功すると、ようやく、来場者端末とペアリングを行いたい装置とは、ＩＥＥＥ８０２．１５．１規格による無線通信が可能（ペアリングの成立）になる。
【先行技術文献】
【特許文献】
【０００６】
【特許文献１】特開２００５−２９２１９６号公報（段落番号「００１５」、図１）
【特許文献２】特許２００５−６３１４５号公報（段落番号「００６２」〜「００６８」、図２）
【発明の開示】
【発明が解決しようとする課題】
【０００７】
しかしながら、特許文献１の技術では、ユーザーの端末が案内装置から出展資料データを取得するためには、予めユーザーの情報を登録するという手間を要するという問題点がある。
しかも、この案内装置は、予め登録した情報に対応させた出展資料のみに限定されて提供されるので、その場で閲覧したい出展資料が予め登録した情報に応じない場合には閲覧することができないという不都合が生じる。
【０００８】
また、特許文献２の技術では、ハンディタイプのＲＦタグＲ／Ｗ（段落番号「００５４」）を大量に用いる必要（少なくともユーザーの人数分が必要）があり、また、ＲＦタグＲ／Ｗと無線接続するサテライトサーバーを多数設置（段落番号「００４２」）する必要があるので、費用が掛かるという問題点がある。
さらに、ＩＥＥＥ８０２．１５．１規格による近距離無線通信の技術では、一般的に、端末と接続したい装置とをペアリングするためには、既に説明したように、必要とする手動操作が多く、手動操作の知識が無ければペアリングを実現することができないという問題もある。
また、手動操作の知識があっても、通信を開始するまでの手順も多いため、ペアリングするまでに時間を要する。
その上、一覧情報の装置の数が多いと、所望の装置を一覧から探し出すのが困難である。
【０００９】
本発明は以上のような点を解決するためになされたものであって、本発明の課題は、ユーザーの情報を登録せずに、または、特別な装置を用いずに、または、無線接続のための知識が無くとも、展示場の出展資料を容易に取得が可能な資料配布システム、方法、プログラムである。
【課題を解決するための手段】
【００１０】
本発明は、以下の各態様に記載の解決手段により、前記課題を解決する。
すなわち、本願第１の発明は、
来場者が携帯する来場者端末装置と展示場に設置された資料配布端末装置とが接続可能に構成される資料配布システムであって、
前記来場者端末装置は、
デジタル画像データを生成するカメラと、
近接通信接続関数と、二次元コード撮像画像データを文字列に復号する二次元コード読取関数と、を記憶する記憶手段と、
二次元コード読取関数が復号した文字列から、無線接続識別子と展示品識別子を取り出す端末接続情報取出手段と、
近接通信接続関数を呼び出して、取り出した無線接続識別子を含む接続要求情報を引き渡し、所定の資料配布端末装置との接続承認情報を受け取る無線接続手段と、
展示品識別子を含む資料請求を、接続承認された資料配布端末装置に送信する資料請求手段と、
接続承認された資料配布端末装置より返信された資料データを受信して表示する資料受信手段と、
を備える端末装置であって、
前記資料配布端末装置は、
近接通信接続関数と、
無線接続識別子と、
展示品識別子と対応付けられた資料データと、を記憶する記憶手段と、
近接通信接続関数から来場者端末装置との接続承認情報を受け取る無線接続手段と、
展示品識別子を含む資料請求を、接続承認された資料配布端末装置から受信する資料請求受付手段と、
資料請求の展示品識別子を、記憶手段の展示品識別子と照合して、一致した展示品識別子に対応付けられた資料データを読み取る資料読取手段と、
読み取った資料データを接続承認された来場者端末装置に返信する資料返信手段と、
を備える端末装置である、
ことを特徴とする資料配布システム、
である。
【００１１】
このように、
ユーザーの情報を登録せずに、資料データを取得できる。
または、特別な装置を用いずに、資料データを取得できる。
さらに、無線接続のための知識が無くとも、ＩＥＥＥ８０２．１５．１規格による近距離無線通信接続が実現できる。
このとき、１台の資料配布端末装置が複数の展示品の資料データを管理しており、接続承認された来場者端末装置の資料請求に含まれる展示品ＩＤに基づいて、自身が記憶する資料データから所定の資料データを抽出して返信することが可能である。
【００１２】
本願第１の発明の第２の態様は、
請求項１に記載の資料配布システムであって、
前記近接通信接続関数は、ＩＥＥＥ８０２．１５．１規格の通信を制御する関数である、
ことを特徴とする資料配布システム、
である。
【００１３】
本願第１の発明の第３の態様は、
来場者が携帯する来場者端末装置と展示場に設置された資料配布端末装置とが接続可能に構成される資料配布システムであって、
前記来場者端末装置は、
デジタル画像データを生成するカメラと、
近接通信接続関数と、二次元コード撮像画像データを文字列に復号する二次元コード読取関数と、を記憶する記憶手段と、
二次元コード読取関数が復号した文字列から、無線接続識別子を取り出す端末接続情報取出手段と、
近接通信接続関数を呼び出して、取り出した無線接続識別子を含む接続要求情報を引き渡し、所定の資料配布端末装置との接続承認情報を受け取る無線接続手段と、
資料請求を、接続承認された資料配布端末装置に送信する資料請求手段と、
接続承認された資料配布端末装置より返信された資料データを受信して表示する資料受信手段と、
を備える端末装置であって、
前記資料配布端末装置は、
近接通信接続関数と、無線接続識別子と、資料データと、を記憶する記憶手段と、
近接通信接続関数から来場者端末装置との接続承認情報を受け取る無線接続手段と、
接続承認された来場者端末装置が送信する資料請求を受け付けて、記憶する資料データを返信する資料返信手段と、
を備える端末装置である、
ことを特徴とする資料配布システム、
である。
【００１４】
このように、ユーザーの情報を登録せずに、資料データを取得できる。
または、特別な装置を用いずに、資料データを取得できる。
さらに、無線接続のための知識が無くとも、ＩＥＥＥ８０２．１５．１規格の近距離無線通信接続が実現できる。
このとき、１台の資料配布端末装置は１つの展示品の資料データを管理しおり、資料配布端末装置は、接続承認された来場者端末装置の資料請求に基づいて、自身が記憶する資料データを返信することが可能である。
【００１５】
本願第１の発明の第４の態様は、
請求項３に記載の資料配布システムであって、
前記近接通信接続関数は、ＩＥＥＥ８０２．１５．１規格の通信を制御する関数である、
ことを特徴とする資料配布システム、
である。
【００１６】
本願第２の発明の第１の態様は、
来場者端末装置および資料配布端末装置が記憶する近接通信接続関数と、展示品識別子と対応付けられた資料データと、を用いて、資料を配布する方法であって、
来場者端末装置は、カメラが撮像して生成した二次元コード画像を復号して、無線接続識別子と展示品識別子を取り出す端末接続情報取出ステップと、
来場者端末装置は、近接通信接続関数を呼び出して、取り出した無線接続識別子を含む接続要求情報を引き渡し、所定の資料配布端末装置との近接通信接続を確立した結果としての接続承認情報を受け取る無線接続ステップと、
来場者端末装置は、展示品識別子を含む資料請求を、接続承認された資料配布端末装置に送信する資料請求ステップと、
資料配布端末装置は、
近接通信接続関数から来場者端末装置との接続承認情報を受け取った場合にのみ、展示品識別子を含む資料請求を、接続承認された資料配布端末装置から受信する資料請求受付ステップと、
資料配布端末装置は、資料請求の展示品識別子を、記憶手段の展示品識別子と照合して、一致した展示品識別子に対応付けられた資料データを読み取る資料読取ステップと、
資料配布端末装置は、読み取った資料データを接続承認された来場者端末装置に返信する資料返信ステップと、
資料配布端末装置は、接続承認された資料配布端末装置より返信された資料データを受信して表示する資料受信ステップと、
を含んだ手順でなされることを特徴とする資料配布方法、
である。
【００１７】
本願第２の発明の第２の態様は、
請求項５に記載の資料配布方法であって、
前記近接通信接続関数は、ＩＥＥＥ８０２．１５．１規格の通信を制御する関数である、
ことを特徴とする資料配布方法、
である。
【００１８】
本願第２の発明の第３の態様は、
近接通信接続関数を記憶する来場者端末装置と、近接通信接続関数と資料データとを記憶する資料配布端末装置を用いて、資料を配布する方法であって、
来場者端末装置は、カメラが撮像して生成した二次元コード画像を復号して、無線接続識別子を取り出す端末接続情報取出ステップと、
来場者端末装置は、近接通信接続関数を呼び出して、取り出した無線接続識別子を含む接続要求情報を引き渡し、所定の資料配布端末装置との近接通信接続を確立した結果としての接続承認情報を受け取る無線接続ステップと、
来場者端末装置は、資料請求を、接続承認された資料配布端末装置に送信する資料請求ステップと、
資料配布端末装置は、
接続承認された来場者端末装置から受け取った資料請求に基づいて、記憶する資料データを、接続承認された来場者端末装置に返信する資料返信ステップと、
資料配布端末装置は、接続承認された資料配布端末装置より返信された資料データを受信して表示する資料受信ステップと、
を含んだ手順でなされることを特徴とする資料配布方法、
である。
【００１９】
本願第２の発明の第４の態様は、
請求項７に記載の資料配布方法であって、
前記近接通信接続関数は、ＩＥＥＥ８０２．１５．１規格の通信を制御する関数である、
ことを特徴とする資料配布方法、
である。
【００２０】
本願第３の発明の第１の態様は、
コンピュータに組込むことによって、コンピュータを請求項１から４のいずれか１項に記載の来場者端末装置として動作させるコンピュータプログラム、
である。
【００２１】
本願第４の発明の第１の態様は、
コンピュータに組込むことによって、コンピュータを請求項１から４のいずれか１項に記載の資料配布端末装置として動作させるコンピュータプログラム、
である。
【発明の効果】
【００２２】
本願発明によれば、
（１）展示場の来場者は、近距離無線通信接続端末のペアリングのための知識が無くても、二次元コードを撮影するだけで、容易に、自身が所持する端末と接続すべき展示場の端末とのペアリングを実現することが可能である。
（２）展示場の来場者は、二次元コードを撮影して実現したペアリングの展示場の端末から、自身が所持する端末に、自動的に所望の展示資料データを取得して閲覧することが可能である。
（３）、展示場場の主催者は、展示場に端末を設置するだけで、閲覧者の端末に対して、展示場場の展示資料データを提供できるので、展示場設営費用を低く抑えることができる。
【図面の簡単な説明】
【００２３】
【図１】図１は、資料配布システムの全体構成を説明する図である。（第１の実施形態）
【図２】図２は、資料配布システムの操作と処理の大まかな手順を説明する図である。
【図３】図３は、二次元コードと複合化されたデータの例である。
【図４】図４は、来場者端末の資料配布処理の詳細な手順を説明する図である。
【図５】図５は、来場者端末１００の詳細な構成図である。
【図６】図６は、展示端末２００の詳細な構成図である。
【発明を実施するための形態】
【００２４】
以下、図面等を参照しながら、本発明の実施の形態について、更に詳しく説明する。
【００２５】
（第１の実施形態）
図１は、本発明の資料配布システムの基本構成を説明する図である。
資料配布システム１は、展示場（たとえば、展示会、博物館、ショウルームなどの展示品を陳列する会場）への来場者の端末装置１００（来場者端末装置、来場者端末）と、展示場４００（展示領域）に設置された端末装置２００（展示端末装置、展示端末）とが、ＩＥＥＥ８０２．１５．１規格の近距離無線通信（以下、無線接続）にて接続可能に構成される。
【００２６】
来場者端末１００は、既存のスマートフォン（たとえば、ｉＯＳ搭載のスマートフォン、あるいは、Ａｎｄｏｒｏｉｄ搭載のスマートフォン）に、後述する専用プログラムを搭載したものである。
来場者端末１００は、カメラを備える。
【００２７】
展示端末２００は、既存のスマートフォンに、後述する専用プログラムを搭載したものである。
【００２８】
展示端末２００は、展示場４００（展示領域）に設置された展示品４１０（展示パネル、ポスター、展示製品など）の裏側や脇に設置される。このとき、展示端末２００は、それぞれの展示品４１０ごとに設置しても良いし、複数の展示品４１０が設置された展示領域ごとに１台ずつを設置しても良い。
【００２９】
展示品４１０は、二次元コード３００を備える。
なお、二次元コード３００は、印刷物でも良いし、展示端末２００に表示させたものでも良い。
また、二次元コード３００の代わりに、バーコードあるいは透かし画像を用いても良い。
【００３０】
図２は、資料配布システム１の操作と処理の大まかな手順を説明する図である。
【００３１】
（１）来場者は、展示場４００に到着する前に、資料配布アプリ（詳細は後述する）を来場者端末１００にインストールする。
（２）来場者は、展示場４００に入場して、展示品４１０の二次元コード３００に来場者端末１００をかざして、撮影する。
【００３２】
（３）来場者端末１００は、撮影した二次元コード３００を復号して、無線接続ＩＤ（無線接続識別子。詳細は後述する）と展示品ＩＤを、取得する。
【００３３】
なお、無線接続ＩＤとは、指定された展示端末２００とブルートゥースにて無線接続するための識別可能な情報である。この無線接続ＩＤは、たとえば、ｉＯＳ搭載のスマートフォンの場合は、セッションＩＤであり、Ａｎｄｏｒｏｉｄ搭載のスマートフォンの場合は、ＭＡＣアドレスとｐｉｎ（Ｐｅｒｓｏｎａｌ  ｉｄｅｎｔｉｆｉｃａｔｉｏｎ  ｎｕｍｂｅｒ）の組合せである。以下、ｉＯＳ搭載のスマートフォンを例に説明する。
【００３４】
（４）来場者端末１００は、復号されたセッションＩＤにて指定された展示端末２００と無線接続を確立（ペアリング）する。
（５）来場者端末１００は、ペアリングした展示端末２００に、展示品ＩＤ（展示品識別子）を含む展示品の資料請求（展示データ要求）を、発行する。
【００３５】
（６）展示端末２００は、ペアリングした来場者端末１００の展示データ要求を受付けて、展示データ要求の展示品ＩＤにより識別される資料データ（展示品データ）を返信する。
（７）来場者端末１００は、ペアリングした展示端末２００から受信した展示品データを表示する。
【００３６】
（８）来場者は、来場者端末１００に表示された展示品データを読み取って、展示品を理解する。
【００３７】
ここで、それぞれの展示品４１０ごとに展示端末２００が設置される場合と、展示領域ごとに１台の展示端末２００が設置される場合とについて、展示データ要求の相違を説明する。
【００３８】
各展示品４１０に展示端末２００が設置される場合には、展示品４１０と展示端末２００とが１対１に対応しているので、二次元コード３００に展示品ＩＤを含めなくとも良い。このときは、来場者端末１００は、ペアリングした展示端末２００に、展示品ＩＤを含まない展示データ要求を発行して、展示端末２００は、展示データ要求を受付けたら、自身が記憶する展示品データ（１つの展示品に関する展示品データの集合）を返信すればよい。
なお、このような各展示品に展示端末を設置する場合には、展示端末２００に二次元コードを表示させるようにしても良い。
【００３９】
他方、展示端末２００を各展示品４１０に設置し無い場合には、以上説明したように、それぞれの展示品４１０の二次元コード３００に展示品ＩＤを含んで符号化（コード化）させて、復号した展示品ＩＤに基づいて、展示品データを要求すれば良い。
【００４０】
なお、資料配布システム１において、来場者端末１００が予め記憶させた来場者情報（たとえば、展示場来場者の来場者ＩＤなど）を含む展示データ要求を発行して、展示端末２００は、来場者情報を記録するようにしてもよい。
【００４１】
図３は、二次元コードと復号したＩＤの例である。
図３の（ａ）は、セッションＩＤと展示品ＩＤが符号化された二次元コードの例である。
【００４２】
図３の（ｂ）は、二次元コードから復号されたセッションＩＤ３１０と展示品ＩＤの例である。
例示されたセッションＩＤ３１０は、３２桁の文字列である。
例示された展示品ＩＤは、２桁の文字列である。
なお、セッションＩＤと展示品ＩＤとの間には、区切り文字を挿入しても良い。
【００４３】
図４は、資料配布システム１における来場者端末１００の詳細な処理手順である。
（１）来場者端末１００は、来場者の指示に従ってカメラ１０５が撮影して生成した展示品４１０の二次元コード画像データを読み取る。次に、読み取った二次元コード画像データを復号して復号データ（たとえば、文字列）を得る。
【００４４】
（２）来場者端末１００は、この文字列から、セッションＩＤ３１０と展示品ＩＤを、取得する。
【００４５】
（３）来場者端末１００は、復号されたセッションＩＤ３１０にて所定の展示端末２００と、以下の手順にて、無線接続を成立（ペアリング）させる。
（３−１）来場者端末１００はセッションＩＤを含む無線接続要求を発行する。
（３−２）展示端末２００は無線接続要求を受付けて、無線接続要求のセッションＩＤが自身のセッションＩＤと一致した場合にのみ、自動接続承認を返信する。
（３−３）来場者端末１００は、返信された自動接続承認を受領して、自動接続承認を返信した展示端末２００とペアリングする。
【００４６】
（４）来場者端末１００は、ペアリングした展示端末２００に、展示品ＩＤを含む展示データ要求を、発行する。
【００４７】
（５）ペアリングした展示端末２００は、来場者端末１００の展示データ要求を受付けて、展示データ要求の展示品ＩＤに基づいて、展示品データ２９３に対応付けられた展示品ＩＤを参照して、一致する展示品ＩＤに対応付けられた展示品データ２９３を返信する。
【００４８】
（６）来場者端末１００は、ペアリングした展示端末２００から展示品データ１９３を受信して、これを記憶する。
（７）来場者端末１００は、記憶した展示品データ１９３を表示する。
【００４９】
図５は、来場者端末１００の詳細な構成図である。
来場者端末１００は、ＣＰＵ１０１と、表示部１０２と、カメラ１０５と、接続部１０６と、記憶部１０９と専用プログラムなどを備える。
ＣＰＵ１０１と、表示部１０２と、カメラ１０５と、接続部１０６と、記憶部１０９とは、ＢＵＳ１９９で接続される。
【００５０】
ＣＰＵ１０１は、中央演算装置である。
表示部１０２は、液晶表示装置や有機ＥＬ表示装置である。
カメラ１０５は、デジタル画像データを生成するデジタルカメラである。
接続部１０６は、ブルートゥース用の無線送受信装置である。
接続部１０６は、さらに、ＷＩＦＩ（ＩＥＥＥ８０２．１１シリーズ）または３Ｇ回線にて無線送受信する装置である。
【００５１】
記憶部１０９は、半導体メモリーや磁気メモリーである。
記憶部１０９は、無線接続情報格納領域０９１と、コンテンツ格納領域０９３と、を備えて、オペレーティングシステム１８５と、ブルートゥース関数１８７と、二次元コード読取関数１１０と、専用プログラムとを記憶する。
【００５２】
無線接続情報格納領域０９１は、ブルートゥース接続に必要な無線接続ＩＤ（たとえば、セッションＩＤ、あるいは、ＭＡＣアドレスとｐｉｎの組合せ）１９１を格納する。
展示品データ領域０９３は、展示品データ１９３の集合を格納する。
【００５３】
オペレーティングシステム１８５は、来場者端末１００のハードウェア（たとえば、ＣＰＵ１０１と、表示部１０２と、カメラ１０５と、接続部１０６と、記憶部１０９と、ＢＵＳ１９９など）を管理・制御して、応用ソフトウエア（たとえば、専用プログラム）に対して、これらのハードウェアを利用できるようなサービスを提供する基本ソフトウエアである。
【００５４】
ブルートゥース関数１８７は、スマートフォンが備えるライブラリープログラムである。
ブルートゥース関数１８７は、無線接続ＩＤ、たとえば、セッションＩＤを引き渡すと、所定のブルートゥース対応装置とペアリングを成立させて、ブルートゥースによる無線通信を可能にさせるためのプログラムである。
【００５５】
二次元コード読取関数１１０は、スマートフォンが備えるライブラリープログラムである。二次元コード読取関数１１０は、来場者の指示に従ってカメラ１０５が撮影して生成した展示品４１０の二次元コード画像データ（二次元コード撮像画像データ）を読み取る機能と、
読み取った二次元コード画像データを復号して、復号データ（たとえば、文字列）を得る機能と、
を実行するプログラムである。
【００５６】
このほかに、無線接続情報取得手段１２０と、無線接続手段１３０と、展示品データ請求手段１４０と、展示品データ受信手段１６０と、展示品データ表示手段１７０と、を備える。これらの各手段は、それぞれの専用プログラムによって実現され、専用プログラムがＣＰＵ１０１に解釈・実行されることによって機能する。
なお、それぞれの手段（専用プログラム）は、ダウンロードした資料配布アプリをインストールしたものである。
【００５７】
無線接続情報取得手段１２０は、無線接続ＩＤ（無線接続識別子。たとえば、セッションＩＤ、ＭＡＣアドレスとｐｉｎの組合せなど）と、展示品ＩＤ（展示品識別子）を、取得する機能を実行するプログラムモジュールである。（詳細は、図２の資料配布システム１の操作と処理の大まかな手順を説明する項で述べた）
【００５８】
無線接続手段１３０は、復号された無線接続ＩＤ（たとえば、セッションＩＤ１９１、３１０）にて指定された展示端末２００と、無線接続を成立（ペアリング）させる機能を実行するプログラムモジュールである。（詳細は、図４の無線接続の成立（ペアリング）を説明する項で述べた）
【００５９】
展示品データ請求手段１４０は、ペアリングした展示端末２００に、展示品ＩＤを含む展示データ要求を、発行する機能を実行するプログラムモジュールである。
【００６０】
展示品データ受信手段１６０は、ペアリングした展示端末２００から展示品データ１９３を受信して、これをコンテンツ格納領域０９３に記憶する機能を実行するプログラムモジュールである。
【００６１】
展示品データ表示手段１７０は、コンテンツ格納領域０９３に記憶した展示品データ１９３を表示部１０２に表示する機能を実行するプログラムモジュールである。
【００６２】
図６は、展示端末２００の詳細な構成図である。
展示端末２００は、ＣＰＵ２０１と、表示部２０２と、接続部２０６と、記憶部２０９と専用プログラムなどを備える。
ＣＰＵ２０１と、表示部２０２と、接続部２０６と、記憶部２０９とは、ＢＵＳ２９９で接続される。
【００６３】
ＣＰＵ２０１は、中央演算装置である。
表示部２０２は、液晶表示装置や有機ＥＬ表示装置である。
接続部２０６は、ブルートゥース用の無線送受信装置である。
接続部２０６は、さらに、ＷＩＦＩ（ＩＥＥＥ８０２．１１シリーズ）または３Ｇ回線にて無線送受信する装置である。
【００６４】
記憶部２０９は、半導体メモリーや磁気メモリーである。
記憶部２０９は、無線接続情報格納領域９０１と、コンテンツ格納領域９０３と、を備えて、オペレーティングシステム１８５と、ブルートゥース関数１８７と、専用プログラムとを記憶する。
【００６５】
無線接続情報格納領域９０１は、ブルートゥース接続に必要な無線接続ＩＤ（たとえば、セッションＩＤ、あるいは、ＭＡＣアドレスとｐｉｎの組合せ）２９１を格納する。
コンテンツ格納領域９０３は、コンテンツＩＤに対応付けられた展示品データ２９３の集合を格納する。
【００６６】
オペレーティングシステム２８５は、展示端末２００のハードウェア（たとえば、ＣＰＵ２０１と、表示部２０２と、接続部２０６と、記憶部２０９と、ＢＵＳ２９９など）を管理・制御して、応用ソフトウエア（たとえば、専用プログラム）に対して、これらのハードウェアを利用できるようなサービスを提供する基本ソフトウエアである。
【００６７】
ブルートゥース関数２８７は、スマートフォンが備えるライブラリープログラムである。
ブルートゥース関数２８７は、無線接続ＩＤ、たとえば、セッションＩＤを引き渡すと、所定のブルートゥース対応装置とペアリングを成立させて、ブルートゥースによる無線通信を可能にさせるためのプログラムである。
【００６８】
このほかに、無線接続手段２３０と、展示品データ請求受付手段２４０と、展示品データ読取手段２５０と、展示品データ返信手段２６０と、を備える。これらの各手段は、それぞれの専用プログラムによって実現され、専用プログラムがＣＰＵ２０１に解釈・実行されることによって機能する。
【００６９】
無線接続手段２３０は、無線接続要求を受付けて、この無線接続要求のセッションＩＤが、無線接続情報格納領域９０１に格納するセッションＩＤと一致した場合にのみ、自動接続承認を返信する機能を実行するプログラムモジュールである。（詳細は、図４の無線接続の成立（ペアリング）を説明する項で述べた）
【００７０】
展示品データ請求受付手段２４０は、ペアリングした来場者端末１００の展示データ要求を受付ける機能を実行するプログラムモジュールである。
【００７１】
展示品データ読取手段２５０は、受付けた展示データ要求の展示品ＩＤに基づいて、
コンテンツ格納領域９０３に格納された、コンテンツＩＤに対応付けられた展示品データ２９３を参照して、展示データ要求の展示品ＩＤと一致する展示品ＩＤに対応付けられた展示品データ２９３を読み取る機能を実行するプログラムモジュールである。
【００７２】
展示品データ返信手段２６０は、読み取った展示品データ２９３を、ペアリングした来場者端末１００に返信する機能を実行するプログラムモジュールである。
【００７３】
なお、無線接続ＩＤと展示品ＩＤを符号化した二次元コードの代わりに、無線接続ＩＤと展示品ＩＤを符号化したバーコード、または、無線接続ＩＤと展示品ＩＤを埋め込んだ透かし画像を用いてもよい。
【００７４】
以上のように、本願発明によれば、展示場の来場者は、所持する携帯端末にて、二次元コードを撮影すると、所定の展示品の展示品データを入手して端末に表示することが可能となる。
【符号の説明】
【００７５】
１      資料配布システム（第１の実施形態）
１００  来場者端末置
１１０  二次元コード読取関数
１２０  無線接続情報取得手段
１３０  無線接続手段
１４０  展示品データ請求手段
１６０  展示品データ受信手段
１７０  展示品データ表示手段
１８７  ブルートゥース関数
１９１  無線接続ＩＤ、セッションＩＤ、ＭＡＣアドレスとｐｉｎの組合せ
１９３  展示品データ
２００  展示端末
２３０  無線接続手段
２４０  展示品データ請求受付手段
２５０  展示品データ読取手段
２６０  展示品データ返信手段
２８７  ブルートゥース関数
２９１  無線接続ＩＤ、セッションＩＤ、ＭＡＣアドレスとｐｉｎの組合せ
２９３  コンテンツＩＤに対応付けられた展示品データ、展示品データ
【図１】
2014067096.tif 000003
【図２】
2014067096.tif 000004
【図３】
2014067096.tif 000005
【図４】
2014067096.tif 000006
【図５】
2014067096.tif 000007
【図６】
2014067096.tif 000008